(57)【要約】【課題】従来の一方向螺旋から成るケーブル装荷具の問題点を解決するために生まれた右螺旋と左螺旋とを反転部を構成したケーブル装荷具に於ける、反転部でのケーブルの脱離問題が、装荷具の成形のみで解決することが求められていた。【解決手段】本発明は、一連の高抗張力線からなり、螺旋の巻数が同一のＳ螺旋部とＺ螺旋部の間に螺旋の巻き幅（ピッチ×巻数）の２倍以上の長さの中央に直線部を含むかもしくは円弧状曲線のみからなる中間部を、螺旋部と中間部が交互に連続するように設け、かつ金属線を前記長尺の中間部に巻き付け、その一部を上方向に突出させて設けたことにより、長期間安定したケーブル脱出防止機能を有するケーブル装架具を提供する。【選択図】  図１
2007236052.tif 000002
【特許請求の範囲】
【請求項１】
一連の高抗張力線からなり、螺旋の巻数が同一のＳ螺旋部とＺ螺旋部の間に螺旋の巻き幅（ピッチ×巻数）の２倍以上の長さの中央に直線部を含むかもしくは大きい円弧状曲線のみからなる長尺の中間部を、螺旋部と中間部が交互に連続するように設けたケーブル装架具において、該長尺の中間部の長さ方向の中央部分に、一部をケーブル装架具の上方に向けて突出させた金属線材の巻き付け部を設けたことを特徴とするケーブル装架具。
【請求項２】
ケーブル装架具の上方に向けて突出させた金属線材の巻き付け部が、端部をケーブル装架具の上方に向けて突出させたものであることを特徴とする請求項１に記載のケーブル装架具。
【請求項３】
ケーブル装架具の上方に向けて突出させた金属線材の巻き付け部が、巻き付けの中間の任意の箇所に突出部を設けたことを特徴とする請求項１に記載のケーブル装架具。
【発明の詳細な説明】
【技術分野】
【０００１】
本発明は、主として電柱間などに架設したメッセンジャーワイヤに取り付けられ、該メッセンジャーワイヤに沿って光ファイバーケーブル、通信ケーブル等の各種のケーブルを架設するためのケーブル装架具に関し、特に、ケーブルを装架した場合に、強風や振動で、ケーブルが外れることのないケーブル装架具に関するものである。
【背景技術】
【０００２】
近時、ケーブルハンガー等のケーブル装架具を用い、光ファイバーケーブル、通信用ケーブル等の各種ケーブルを電柱間などの区間に架設する場合は、その区間にメッセンジャーワイヤを架設して、これにケーブル装架具を取り付け、該ケーブル装架具に架設すべきケーブルを装架することで、該ケーブルを架設することがなされている。
【０００３】
これまではケーブル装架具として、架設すべきケーブルをリングハンガーを用いてメッセンジャーワイヤーに対して間欠的に取り付けていたが、近時は、所謂スパイラルロッドと称される高抗張力線材よりなるいわゆるスパイラルロッドと称される短尺の螺旋体を接続したものを用い、ケーブルを架設すべき区間にメッセンジャーワイヤを張架して、このメッセンジャーワイヤに対して、スパイラルロッドを巻き付け、スパイラルロッド内にケーブルを装架して架設していた。この際短尺の螺旋体は順次接続されている。
【０００４】
この工法は面倒であるので、このようなスパイラルロッドからなるケーブル装架具を改良したものとして、右螺旋と左螺旋を反転させて反復連続するケーブル装架具が生み出され、メッセンジャーワイヤへの取り付け作業が容易なことが認められている。
【０００５】
【特許文献１】特許第３１８２５３１号
【特許文献２】特開２００５−１６８２８４
【発明の開示】
【発明が解決しようとする課題】
【０００６】
しかしこのようなケーブル装架具を用いると、螺旋の反転部が単に異なる螺旋巻きの方向を反転させることのみであることから比較的鋭角の円弧で反転頂部を形成するように設けられており、かかるケーブル装架具を用いて架設収納されたケーブルが異常振動や異常風圧などの影響で該反転部の頂上を乗り越えて外部に飛び出すという懸念がある。
【０００７】
本発明は、上記のケーブル装架具の構造が、単に右螺旋と左螺旋の中間に巻き方向変換のためやむを得ず発生する反転部を有するのみであることを考察し、該構造にとらわれることなく、通常の反転部に変えて長手方向に長尺の中間部の設置が好ましいことを見出し、別に提案している。
【０００８】
より詳細には、一連の高抗張力線からなり、螺旋の巻数が同一のＳ螺旋部とＺ螺旋部の間に螺旋の巻き幅（ピッチ×巻数）の２倍以上の長さの中央に直線部を含むかもしくは大きい円弧状曲線のみからなる長尺の中間部を、螺旋部と中間部が交互に連続するように設けたケーブル装架具であり、これにより従来のような小さな反転部の有する比較的尖った反転を発生せずに、直線もしくは緩やか曲線を頂部とすることにより、ケーブルが振動や揺動によって、これを飛び越える現象は先ず起こらないとの知見を得た。
【０００９】
しかしながら、異常気象や、超大型の地震などを考えると、さらに厳密にこのケーブルの逸出問題を解決する必要がある。
しかしこの対策として、ゴムやプラスチックのケーブル脱出防止部材を取り付けるのでは、常時装架の際の雰囲気劣化や機械的劣化の問題を解決できないので、他の手段が必要と考えられる。
【課題を解決するための手段】
【００１０】
本発明は、上記の実情に鑑み、中間部を長大にしたケーブル装架具の少なくとも中央部に、全く新しい、一部をケーブル装架具の上方に向けて突出させた金属線材の巻き付け部を設けることによりケーブルの脱出防止を図ったものである。
すなわち、本発明は、一連の高抗張力線からなり、螺旋の巻数が同一のＳ螺旋部とＺ螺旋部の間に螺旋の巻き幅（ピッチ×巻数）の２倍以上の長さの中央に直線部を含むかもしくは大きい円弧状曲線のみからなる長尺の中間部を、螺旋部と中間部が交互に連続するように設けたケーブル装架具において、該長尺の中間部の長さ方向の中央部分に、ケーブル装架具の上方に向けて突出させた金属線材の巻き付け部を設けたことを特徴とするケーブル装架具（請求項１）である。
具体的には、ケーブル装架具の上方に向けて突出させた金属線材の巻き付け部が、端部をケーブル装架具の上方に向けて突出させたものであることを特徴とする請求項１に記載のケーブル装架具（請求項２）であり、
ケーブル装架具の上方に向けて突出させた金属線材の巻き付け部が、巻き付けの中間の任意の箇所に突出部を設けたことを特徴とする請求項１に記載のケーブル装架具（請求項３）である。
【００１１】
ケーブル装架具の上方に向けて突出させた金属線材の巻き付け部のないものでも通常もしくはやや強い振動や風圧ではケーブルが逸脱することはないが、異常振動や異常風圧には、ケーブル装架具の上方に向けて突出させた金属線材の巻き付け部が効果的に作用し、ケーブルが逸脱をより安全に防止することができる。
なお、Ｓ螺旋部とＺ螺旋部の螺旋の巻数が１回転以上であるものが望ましく、直線を含むかもしくは円弧状曲線のみからなる長尺の中間部が、軸線から見た側面において、螺旋部で形成される円弧の半径より大きく、螺旋部より広角で円弧の高さより高い高さに形成されていることが望ましい。
【発明の効果】
【００１２】
本発明により、上述の如く構成したケーブル装架具は、ケーブルを架設すべき区間に張架するメッセンジャーワイヤに応じて長尺としても、これをケーブルを架設すべき区間に張架したメッセンジャーワイヤに対して容易に取り付けることができ、従って、ケーブルの架設も極めて容易に実施することができる。
また、上述の如く構成したケーブル装架具は、Ｓ螺旋とＺ螺旋の中間に長い中間部を有することから、先に述べたように単なる反転部と異なり、本質的にケーブルが飛び出しにくい長尺の中間部を備えており、さらに、この長尺の中間部の央部分に、一部をケーブル装架具の上方に向けて突出させた金属線材の巻き付け部を設けてあるので、通常では考えにくいような異常強風、超大型地震などがあっても、ケーブルがこの金属線材の巻き付け部により、外側に逸脱するおそれは殆どなくなり、しかも逸脱防止部材が金属線であることから、ゴムやプラスチックのように劣化問題を発生しにくいなどの効果を発揮することができる。
【００１３】
なお、逸脱防止部材に用いられる金属線材の材質は、鋼線が反発性もあり、好ましく、これにポリエチレンなどを被覆してあってもよい。また、必要ならば、半田付けや、接着剤による固着も利用することができる。
ケーブル装架具の上方に向けて突出させた金属線材の巻き付け部としては、端部をケーブル装架具の上方に向けて突出させた突出部を設けたものであってもよく、又、巻き付けの中間の任意の箇所に屈曲した突出部を設けたものであってもよい。これによってケーブルの逸脱防止は長期にわたり完全に保証される。
【００１４】
本発明のケーブル装架具は、架設に際して、既設のメッセンジャーワイヤに前記ケーブル装架具の端部を差込み、そのまま、差込み方向に例えばＳ螺旋に沿って回転させながら進行させ、該長尺の中間部を経て再びＺ螺旋に沿って回転させながら進行させる操作を反復繰り返すことで、該メッセンジャーワイヤをケーブル装架具の内部に取り込むことから螺旋部が全体に少ないことから装荷作業は能率よく実施できる。
【発明を実施するための最良の形態】
【００１５】
本発明を図面を参照しつつ詳細に説明する。
図１は本発明の長尺の中間部を略軸線に平行な直線状に設けた場合の斜視図で、図２は大きい円弧状の曲線部を中間部とした場合の斜視図である。
なお、本発明の実施に当たっては、図１に示された直線部は屈曲点を設けずにややカーブして形成されているものを示したが、略軸に平行な直線状の両端すなわち、ほぼ螺旋の半円弧の長さの位置に極端な屈曲点を設け、長い中央部を直線状とした構造としてもよいことは勿論である。
【００１６】
図１においては、本発明によるケーブル装架具１０は、鋼線などの高抗張力線もしくはこれに高密度ポリエチレンを被覆してなる線材が用いられる。これをＳ螺旋部２１、長尺の中間部３０、Ｚ螺旋部２２、長尺の中間部３０、Ｓ螺旋部２１、長尺の中間部３０、Ｚ螺旋部２２の反復するように成形してなり、Ｓ螺旋部２１とＺ螺旋部２２は同じピッチで同一の巻数であるためねじれを生じない。また、長尺の中間部３０は螺旋の巻幅（ピッチ）の２倍以上の長さの直線もしくは近似の形状を主とするものが示されており、その略中央に適当の長さに金属線巻き付け部３１がその端部を上方に突出させて設けられている。
【００１７】
図２においては、本発明によるケーブル装架具１０は、鋼線などの高抗張力線もしくはこれに高密度ポリエチレンを被覆してなる線材が用いられる。これをＳ螺旋部２１、長尺の中間部３０’、Ｚ螺旋部２２、長尺の中間部３０’、Ｓ螺旋部２１、長尺の中間部３０’Ｚ螺旋部２２の反復するように成形してなり、Ｓ螺旋部２１とＺ螺旋部２２は同じピッチで同一の巻数であるためねじれを生じない。また、長尺の中間部３０’は螺旋の巻幅（ピッチ）の２倍以上の長さで、この部分を曲率半径の大きい円弧を主とするものが示されており、その略中央に適当の長さに金属線巻き付け部３１がその端部を上方に突出させて設けられている。
【００１８】
図１では、長尺の中間部として直線に近いもの３０、図２では、大きい曲率の円弧状曲線３０’が示されているが、このような構造のケーブル装架具を用いれば、直線を含むかもしくは大きい円弧状曲線のみからなる長尺の中間部が、軸線から見た側面において、螺旋部で形成される円弧の半径より大きく、螺旋部より広角で円弧の高さより高い高さに形成することにより、ケーブルの逸脱を略完全に防止することができ、しかも、その中央辺に巻きつけられた金属線の厚みに加えてその両端の突起により、ケーブルが揺動しても、逸脱を防止することができる。なお図１、２に於いて、３０もしくは３０’にケーブル装架具の上方に向けて螺旋巻きした金属線材の巻き付け部３１の中央を細く屈曲させ突出たものが示されてるが、その状態を拡大した斜視図が図３である。しかし、これに限定されず、図４の斜視図に示すように螺旋巻きした金属線材の一端を上方に突出させた金属線材の巻き付け部３１であってもよい。要は、金属の螺旋巻きで、長尺の中間部に容易に取り付けられ、しかも螺旋巻きの端部もしくは中央部に突出があれば、それだけケーブルの逸脱防止に有効である。
【００１９】
ケーブル装架具全体の長さ寸法は、ケーブルＣを架設すべき区間の長さに応じて定められ、１つのケーブルＣを架設すべき区間においては、その区間に張架したメッセンジャーワイヤＷに１つのケーブル装架具１０を取り付ける長さであることがが好ましい。Ｈはケーブルの装架方向を示している。
【００２０】
なお、各図とも、図面ではその一部分についてのみ示すが、実際には以下に述べるように、各図中に破線で示すケーブル装架具１０の長手方向の中心線方向（以下、単に長手方向という。）に、これを繰り返して連続するように構成してある。
【００２１】
そして、それらの螺旋部２１，２２の間に、長尺の直線部３０もしくは大きい曲率の曲線部３０’からなる長尺の中間部は、螺旋部の巻き幅（ピッチ×巻数）の２倍以上としたことにより、メッセンジャーワイヤの取り付けを容易にし、螺旋部の巻き幅（ピッチ×巻数）の２倍未満では長尺の中間部に期待されるケーブルの脱離防止効果が不十分と成りやすい。又、ケーブル装架具１０の全体として螺旋部２１，２２の螺旋数が増えて、メッセンジャーワイヤＷを装架するに手間が多くかかると共にケーブル装架具１０に用いられる材料の線材が多くなる。また長尺の中間部の前後では急激な屈曲の角部を設けてもよいことは勿論である。
【００２２】
また、従来のＳＺ交互螺旋のケーブル装架具では、反転部が螺旋の頂上近くで先鋭な円弧を形成していても、装架したケーブルＣがこの頂上を乗り越えて脱落することが懸念されるが、本発明では螺旋部の高さに等しい高さ未満、螺旋部の中心までの高さ以上あれば、長尺部を広角にすることで、ケーブルＣが脱落を防止することができ、しかも長尺部には前記した金属線巻き付け部を設けているので、異常状態でのケーブルの逸脱を防止できる。
【図面の簡単な説明】
【００２３】
【図１】本発明のケーブル装架具にケーブルを装荷した場合の一例の斜視図
【図２】本発明のケーブル装架具にケーブルを装荷した場合の他の一例の斜視図
【図３】本発明のケーブル装架具に於ける中間部に於ける金属線巻き付け部の一例      を示す斜視図
【図４】本発明のケーブル装架具に於ける中間部に於ける金属線巻き付け部の他の      一例を示す斜視図
【符号の説明】
【００２４】
１０    ケーブル装架具
１０ｃ  ケーブル装架具の長手方向の中心線
２１  Ｓ螺旋部
２２  Ｚ螺旋部
３０  直線部
３０’  曲線部
３１    金属線巻き付け部
Ｃ      ケーブル
Ｗ      メッセンジャーワイヤ
Ｈ      ケーブル装架方向
【図１】
2007236052.tif 000003
【図２】
2007236052.tif 000004
【図３】
2007236052.tif 000005
【図４】
2007236052.tif 000006
【手続補正書】
【提出日】平成18年6月1日(2006.6.1)
【手続補正１】
【補正対象書類名】特許請求の範囲
【補正対象項目名】請求項２
【補正方法】変更
【補正の内容】
【請求項２】
ケーブル装架具の上方に向けて突出させた金属線材の巻き付け部が、端部もしくは中央部をケーブル装架具の上方に向けて突出させたものであることを特徴とする請求項１に記載のケーブル装架具。
【手続補正２】
【補正対象書類名】明細書
【補正対象項目名】００１０
【補正方法】変更
【補正の内容】
【００１０】
本発明は、上記の実情に鑑み、中間部を長大にしたケーブル装架具の少なくとも中央部に、全く新しい、一部をケーブル装架具の上方に向けて突出させた金属線材の巻き付け部を設けることによりケーブルの脱出防止を図ったものである。
すなわち、本発明は、一連の高抗張力線からなり、螺旋の巻数が同一のＳ螺旋部とＺ螺旋部の間に螺旋の巻き幅（ピッチ×巻数）の２倍以上の長さの中央に直線部を含むかもしくは大きい円弧状曲線のみからなる長尺の中間部を、螺旋部と中間部が交互に連続するように設けたケーブル装架具において、該長尺の中間部の長さ方向の中央部分に、ケーブル装架具の上方に向けて突出させた金属線材の巻き付け部を設けたことを特徴とするケーブル装架具（請求項１）である。
具体的には、ケーブル装架具の上方に向けて突出させた金属線材の巻き付け部が、端部もしくは中央部をケーブル装架具の上方に向けて突出させたものであることを特徴とする請求項１に記載のケーブル装架具（請求項２）であり、
ケーブル装架具の上方に向けて突出させた金属線材の巻き付け部が、巻き付けの中間の任意の箇所に突出部を設けたことを特徴とする請求項１に記載のケーブル装架具（請求項３）である。
【手続補正３】
【補正対象書類名】明細書
【補正対象項目名】００１６
【補正方法】変更
【補正の内容】
【００１６】
図１においては、本発明によるケーブル装架具１０は、鋼線などの高抗張力線もしくはこれに高密度ポリエチレンを被覆してなる線材が用いられる。これをＳ螺旋部２１、長尺の中間部３０、Ｚ螺旋部２２、長尺の中間部３０、Ｓ螺旋部２１、長尺の中間部３０、Ｚ螺旋部２２の反復するように成形してなり、Ｓ螺旋部２１とＺ螺旋部２２は同じピッチで同一の巻数であるためねじれを生じない。また、長尺の中間部３０は螺旋の巻幅（ピッチ）の２倍以上の長さの直線もしくは近似の形状を主とするものが示されており、その略中央に適当の長さに金属線巻き付け部３１がその中央部を上方に突出させて設けられている。
【手続補正４】
【補正対象書類名】明細書
【補正対象項目名】００１７
【補正方法】変更
【補正の内容】
【００１７】
図２においては、本発明によるケーブル装架具１０は、鋼線などの高抗張力線もしくはこれに高密度ポリエチレンを被覆してなる線材が用いられる。これをＳ螺旋部２１、長尺の中間部３０’、Ｚ螺旋部２２、長尺の中間部３０’、Ｓ螺旋部２１、長尺の中間部３０’Ｚ螺旋部２２の反復するように成形してなり、Ｓ螺旋部２１とＺ螺旋部２２は同じピッチで同一の巻数であるためねじれを生じない。また、長尺の中間部３０’は螺旋の巻幅（ピッチ）の２倍以上の長さで、この部分を曲率半径の大きい円弧を主とするものが示されており、その略中央に適当の長さに金属線巻き付け部３１がその中央部を上方に突出させて設けられている。
【手続補正５】
【補正対象書類名】明細書
【補正対象項目名】００１８
【補正方法】変更
【補正の内容】
【００１８】
図１では、長尺の中間部として直線に近いもの３０、図２では、大きい曲率半径の円弧状曲線３０’が示されているが、このような構造のケーブル装架具を用いれば、直線を含むかもしくは大きい曲率半径の円弧状曲線のみからなる長尺の中間部が、軸線から見た側面において、螺旋部で形成される円弧の半径より大きく、螺旋部より広角で円弧の高さより高い高さに形成することにより、ケーブルの逸脱を略完全に防止することができ、しかも、その中央辺に巻きつけられた金属線の厚みに加えてその両端の突起により、ケーブルが揺動しても、逸脱を防止することができる。なお図１、２に於いて、３０もしくは３０’にケーブル装架具の上方に向けて螺旋巻きした金属線材の巻き付け部３１の中央を細く屈曲させ突出たものが示されてるが、その状態を拡大した斜視図が図３である。しかし、これに限定されず、図４の斜視図に示すように螺旋巻きした金属線材の一端を上方に突出させた金属線材の巻き付け部３１であってもよい。要は、金属の螺旋巻きで、長尺の中間部に容易に取り付けられ、しかも螺旋巻きの端部もしくは中央部に突出があれば、それだけケーブルの逸脱防止に有効である。
【手続補正６】
【補正対象書類名】明細書
【補正対象項目名】００２４
【補正方法】変更
【補正の内容】
【００２４】
１０    ケーブル装架具
２１  Ｓ螺旋部
２２  Ｚ螺旋部
３０  中間部（直線に近いもの）
３０’  中間部（大きい円弧）
３１    金属線巻き付け部
Ｃ      ケーブル
Ｗ      メッセンジャーワイヤ
Ｈ      ケーブル装架方向
【手続補正７】
【補正対象書類名】図面
【補正対象項目名】図１
【補正方法】変更
【補正の内容】
【図１】
2007236052.tif 000007
【手続補正８】
【補正対象書類名】図面
【補正対象項目名】図２
【補正方法】変更
【補正の内容】
【図２】
2007236052.tif 000008